(57)【要約】【課題】吸収性物品を丸めた状態でよりしっかりと固定できる吸収性物品を提供する。【解決手段】吸収性物品（１０）は、前後方向（Ｌ）と、前後方向（Ｌ）に直交する幅方向（Ｗ）と、着用者の肌とは反対側に向けられる裏面シート（２２）と、裏面シート（２２）の非肌面側に設けられ、着用物品に対するズレ止め用の第１粘着部（７０）と、少なくとも第１粘着部（７０）を覆う離型シート（１０４）と、裏面シート（２２）の非肌面側に設けられた後処理用の第２粘着部（８０）と、第２粘着部（８０）を覆い、離型シート（１０４）とは別体の後処理用のテープ部材（６０）と、を有する。【選択図】図２
2019115587.tif 000002
【特許請求の範囲】
【請求項１】
前後方向と、
前記前後方向に直交する幅方向と、
着用者の肌とは反対側に向けられる裏面シートと、
前記裏面シートの非肌面側に設けられ、着用物品に対するズレ止め用の第１粘着部と、
少なくとも前記第１粘着部を覆う離型シートと、
前記裏面シートの非肌面側に設けられた後処理用の第２粘着部と、
前記第２粘着部を覆い、前記離型シートとは別体の後処理用のテープ部材と、を有する、吸収性物品。
【請求項２】
前記後処理用のテープ部材が前記第２粘着部から完全に取り外し可能に構成されている、請求項１に記載の吸収性物品。
【請求項３】
前記吸収性物品の使用前に前記第２粘着部とは反対側に向いた前記後処理用のテープ部材の一面は、前記後処理用のテープ部材の、前記第２粘着部側に向いた面よりも、前記第２粘着部に対する粘着力が高い、請求項２に記載の吸収性物品。
【請求項４】
前記幅方向における前記後処理用のテープ部材の長さは、前記前後方向における前記後処理用のテープ部材の長さよりも長い、請求項２又は３に記載の吸収性物品。
【請求項５】
前記後処理用のテープ部材の最大長さは、前記第２粘着部から前記吸収性物品の縁までの最小長さよりも長い、請求項２から４のいずれか１項に記載の吸収性物品。
【請求項６】
前記第２粘着部は、前記第１粘着部よりも前側又は後側に設けられており、
前記後処理用のテープ部材の最大長さは、前記前後方向における前記第２粘着部から前記吸収性物品の縁までの長さよりも長い、請求項２から５のいずれか１項に記載の吸収性物品。
【請求項７】
前記第２粘着部は、前記前後方向における前記第１粘着部どうしの間の領域に設けられており、
前記後処理用のテープ部材の最大長さは、前記前後方向における前記第１粘着部から前記吸収性物品の縁までの長さよりも長い、請求項２から５のいずれか１項に記載の吸収性物品。
【請求項８】
前記第２粘着部は、前記前後方向から見て前記第１粘着部と重なる領域に設けられている、請求項１から７のいずれか１項に記載の吸収性物品。
【請求項９】
前記吸収性物品は、包装時に個包装シートに包まれており、
前記離型シートは、前記個包装シートと別体であり、包装時に前記個包装シートに接合されている、請求項１から８のいずれか１項に記載の吸収性物品。
【請求項１０】
前記裏面シートよりも肌面側に設けられた吸収体を有し、
前記第２粘着部の少なくとも一部は、厚み方向において前記吸収体と重なる領域に設けられている、請求項１から９のいずれか１項に記載の吸収性物品。
【請求項１１】
前記後処理用のテープ部材は、使用時に厚み方向から見て前記吸収性物品からはみ出さないように配置されている、請求項１から１０のいずれか１項に記載の吸収性物品。
【請求項１２】
前記後処理用のテープ部材は、前記離型シートとの違いを示す識別部を有する、請求項１から１１のいずれか１項に記載の吸収性物品。
【発明の詳細な説明】
【技術分野】
【０００１】
本発明は、後処理用のテープ部材を備えた吸収性物品に関する。
【背景技術】
【０００２】
生理用ナプキン、パンティライナー、大人用失禁パッド又は糞便パッドのような吸収性物品は、使用時に、着用者に着用される着用物品の内側に取り付けられる。一般に、着用物品の内側に取り付けられる吸収性物品は、着用物品に対する吸収性物品のずれを防止するための粘着部を有する。この粘着部は、吸収性物品の肌面側（着用者の肌に面する側）とは反対側の面に設けられる。
【０００３】
特許文献１は、後処理用の止着テープを備えた使い捨ておむつや生理用ナプキンのような吸収性物品を開示している。この止着テープは、裏面シート（バックシート）に固着された基部と、当該基部に連設された伸長可能な伸長部と、を備える。このような後処理テープを有する吸収性物品を廃棄する際は、着用者は、止着テープの伸長部を伸長させ、止着テープによって吸収性物品を丸めた状態で固定する。
【先行技術文献】
【特許文献】
【０００４】
【特許文献１】特開平９−９９０１０号公報
【発明の概要】
【発明が解決しようとする課題】
【０００５】
本願の発明者は、生理用ナプキン、パンティライナー、大人用失禁パッド又は糞便パッドのような吸収性物品を丸めたときに、吸収性物品をしっかりと丸めた状態で固定できず、吸収性物品が自然に開いてしまうことがあるという課題を見出した。
【０００６】
したがって、吸収性物品を丸めた状態でよりしっかりと固定できる吸収性物品が望まれる。
【課題を解決するための手段】
【０００７】
一態様に係る吸収性物品は、前後方向と、前記前後方向に直交する幅方向と、着用者の肌とは反対側に向けられる裏面シートと、前記裏面シートの非肌面側に設けられ、着用物品に対するズレ止め用の第１粘着部と、少なくとも前記第１粘着部を覆う離型シートと、前記裏面シートの非肌面側に設けられた後処理用の第２粘着部と、前記第２粘着部を覆い、前記離型シートとは別体の後処理用のテープ部材と、を有する。
【図面の簡単な説明】
【０００８】
【図１】図１は、肌面側から見た第１実施形態に係る吸収性物品の平面図である。
【図２】図２は、非肌面側から見た第１実施形態に係る吸収性物品の平面図である。
【図３】図３は、個包装された吸収性物品の平面図である。
【図４】図４は、個包装シートを展開した状態における吸収性物品の平面図である。
【図５】図５は、前後方向に巻かれた状態の第１実施形態に係る吸収性物品の斜視図である。
【図６】図６は、第２実施形態に係る肌面側から見た吸収性物品の平面図である。
【発明を実施するための形態】
【０００９】
（１）実施形態の概要
本明細書及び添付図面の記載により、少なくとも以下の事項が明らかとなる。
【００１０】
一態様に係る吸収性物品は、前後方向と、前記前後方向に直交する幅方向と、着用者の肌とは反対側に向けられる裏面シートと、前記裏面シートの非肌面側に設けられ、着用物品に対するズレ止め用の第１粘着部と、少なくとも前記第１粘着部を覆う離型シートと、前記裏面シートの非肌面側に設けられた後処理用の第２粘着部と、前記第２粘着部を覆い、前記離型シートとは別体の後処理用のテープ部材と、を有する。
【００１１】
離型シートは、吸収性物品の使用前に第１粘着部を覆うことによって、第１粘着部の粘着力の低下を防止する。離型シートは、吸収性物品を下着のような着用物品に取り付ける際に、第１粘着部から取り外され、それから吸収性物品は第１粘着部によって下着のような着用物品に止着される。ここで、後処理用のテープ部材が離型シートとは別体であるため、吸収性物品の使用中において、後処理用のテープ部材は、後処理用の第２粘着部を覆った状態にすることができる。これにより、後処理用のテープ部材は、吸収性物品の使用中に、第２粘着部の粘着力の低下を防止する。
【００１２】
使用者は、吸収性物品の使用後に、下着のような着用物品から吸収性物品を取り外す。それから、使用者は、後処理用のテープ部材を剥がし、第２粘着部を露出させる。次に、使用者は、吸収性物品の肌面側が内側に隠れるように、吸収性物品を丸めた状態にする。これにより、第２粘着部は、吸収性物品の肌面側のシートに止着するか、もしくは丸められた吸収性物品の表面に露出する。
【００１３】
第２粘着部は丸められた吸収性物品の肌面側のシートに止着する場合、吸収性物品は、粘着力を維持した第２粘着部によってしっかりと丸められた状態を維持することができる。
【００１４】
また、第２粘着部が丸められた吸収性物品の表面に露出する場合には、露出した第２粘着部に後処理用のテープ部材を止着させることによって、吸収性物品を丸めた状態で維持してもよい。この場合、後処理用のテープ部材は、丸められた吸収性物品の表面に露出した第１粘着部と第２粘着部とに跨って止着させることが好ましい。
【００１５】
以上のように、第２粘着部は、吸収性物品の使用中に後処理用のテープ部材で覆われているため、吸収性物品の廃棄時に、第２粘着部を利用して吸収性物品を丸めた状態でしっかりと維持することができる。
【００１６】
好ましい一態様によれば、前記後処理用のテープ部材が前記第２粘着部から完全に取り外し可能に構成されている。
【００１７】
後処理用のテープ部材は、裏面シートに恒久的に接合されておらず、第２粘着部から完全に取り外すことができるようになっている。したがって、使用者は、吸収性物品の廃棄時に後処理テープを強く引っ張る必要がなく、丸められた吸収性物品の表面に露出した第１粘着部と第２粘着部とに跨って後処理テープ部材を止着させればよい。そのため、裏面シートに恒久的に接合された後処理テープを強く引っ張ることによる裏面シートの破断のような問題を解消することができる。
【００１８】
好ましい一態様によれば、前記吸収性物品の使用前に前記第２粘着部とは反対側に向いた前記後処理用のテープ部材の一面は、前記後処理用のテープ部材の、前記第２粘着部側に向いた面よりも、前記第２粘着部に対する粘着力が高い。
【００１９】
これにより、吸収性物品の廃棄時には第２粘着部から後処理用のテープ部材を容易に剥離することができる。その一方で、吸収性物品を丸めた状態に維持するために後処理用のテープ部材を第２粘着部に止着する際には、後処理用のテープ部材のもう一方の一面を第２粘着部に止着させることによって、後処理テープ部材による止着力を高めることができる。
【００２０】
好ましい一態様によれば、前記幅方向における前記後処理用のテープ部材の長さは、前記前後方向における前記後処理用のテープ部材の長さよりも長い。
【００２１】
これにより、後処理用のテープ部材の配置をより柔軟に設計することができる。例えば、第１粘着部よりも前側又は後側の領域では、比較的横方向に長いスペースが存在するため、幅方向における後処理用のテープ部材の長さが長い方が、後処理用のテープ部材を配置し易い。この場合であっても、後処理用のテープ部材を第２粘着部から完全に取り外すことができるため、吸収性物品の廃棄時には、後処理用のテープ部材の長手方向を吸収性物品の前後方向に向けて、後処理用のテープ部材を使用することができる、したがって、丸めた吸収性物品を後処理用のテープ部材によって前後方向に止着させ易い。
【００２２】
好ましい一態様によれば、前記後処理用のテープ部材の最大長さは、前記第２粘着部から前記吸収性物品の縁までの最小長さよりも長い。
【００２３】
これにより、第２粘着部に止着させたテープ部材を吸収性物品の縁よりも外側へ延ばすことができるため、丸められた吸収性物品の表面に露出した第１粘着部と第２粘着部とに跨って後処理テープ部材を容易に止着させることができる。
【００２４】
好ましい一態様によれば、前記第２粘着部は、前記第１粘着部よりも前側又は後側に設けられており、前記後処理用のテープ部材の最大長さは、前記前後方向における前記第２粘着部から前記吸収性物品の縁までの長さよりも長い。
【００２５】
これにより、第２粘着部に止着させたテープ部材を前後方向に沿って吸収性物品の縁よりも外側へ延ばすことができるため、丸められた吸収性物品の表面に露出した第１粘着部と第２粘着部とに跨って後処理テープ部材を止着させ易くなる。
【００２６】
好ましい一態様によれば、前記第２粘着部は、前記前後方向における前記第１粘着部どうしの間の領域に設けられており、前記後処理用のテープ部材の最大長さは、前記前後方向における前記第１粘着部から前記吸収性物品の縁までの長さよりも長い。
【００２７】
これにより、第１粘着部に止着させたテープ部材を前後方向に沿って吸収性物品の縁よりも外側へ延ばすことができるため、丸められた吸収性物品の表面に露出した第１粘着部どうしに跨って後処理テープ部材を止着させ易くなる。
【００２８】
好ましい一態様によれば、前記第２粘着部は、前記前後方向から見て前記第１粘着部と重なる領域に設けられている。
【００２９】
これにより、丸められた吸収性物品の表面に露出した第１粘着部と第２粘着部は、前後方向に沿って並ぶため、前後方向に跨って後処理テープ部材を容易に止着させることができる。
【００３０】
好ましい一態様によれば、前記吸収性物品は、包装時に個包装シートに包まれており、前記離型シートは、前記個包装シートと別体であり、包装時に前記個包装シートに接合されている。
【００３１】
これにより、個包装シートから吸収性物品を取り出す作業とともに、離型シートが吸収性物品から取り外されるため、吸収性物品を下着のような着用物品に取り付ける作業が簡易になる。ここで、後処理用のテープ部材は、離型シートとは別体であるため、第２粘着部に止着した状態を維持する。
【００３２】
好ましい一態様によれば、吸収性物品は、前記裏面シートよりも肌面側に設けられた吸収体を有し、前記第２粘着部の少なくとも一部は、厚み方向において前記吸収体と重なる領域に設けられている。
【００３３】
吸収体が存在しない領域は柔らかいため、吸収性物品の着用中の使用者の動作により捲れることがある。したがって、厚み方向において吸収体と重ならない領域に第２粘着部全体が設けられていると、後処理用のテープ部材の捲れにより、使用中に着用者の肌に第２粘着部が付着する虞がある。第２粘着部の少なくとも一部、好ましくは全部が、厚み方向において吸収体と重なる領域に設けられることにより、着用中に第２粘着部が着用者の肌に付着する虞を低減することができる。
【００３４】
好ましい一態様によれば、前記後処理用のテープ部材は、使用時に厚み方向から見て前記吸収性物品からはみ出さないように配置されている。
【００３５】
これにより、吸収性物品の使用中に後処理用のテープ部材が着用者の肌に直接当たらないため、使用者に与える違和感を抑制することができる。
【００３６】
好ましい一態様によれば、前記後処理用のテープ部材は、前記離型シートとの違いを示す識別部を有する。
【００３７】
後処理用のテープ部材が離型シートとの違いを示す識別部を有するため、使用者が、吸収性物品を下着のような着用物品に取り付ける際に、誤って後処理用のテープ部材を取り外してしまうことを防止することができる。
【００３８】
（２）第１実施形態
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３９】
図１は、肌面側から見た第１実施形態に係る吸収性物品の平面図である。図２は、非肌面側から見た第１実施形態に係る吸収性物品の平面図である。ここで、「肌面側」は、使用中に着用者の肌に面する側に相当する。「非肌面側」は、使用中に着用者の肌とは反対に向けられる側に相当する。図３は、個包装された吸収性物品の平面図である。図４は、個包装シートを展開した状態における吸収性物品の平面図である。
【００４０】
吸収性物品は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００４１】
吸収性物品１０は、表面シート２０と、裏面シート２２と、表面シート２０と裏面シート２２との間の吸収体３０と、を有する。表面シート２０は、使用中に着用者の肌の方に向く。裏面シート２２は、使用中に、着用者の肌とは反対側に向けられる。吸収体３０は、吸収性物品の前後方向Ｌに沿って延びている。
【００４２】
吸収性物品１０は、ウイング４０及びヒップフラップ５０を有していてもよい。ウイング４０は、使用時に着用物品のクロッチ部の非肌面側に折り返される。ヒップフラップ５０は、ウイング４０よりも後方で、幅方向Ｗに膨らんだ部分である。ヒップフラップ５０は、幅方向Ｗにおける吸収体３０の外縁よりも外側に膨らんだ部分である。
【００４３】
吸収性物品１０は、使用中に着用者の排泄口（例えば膣口）に対向する排泄口対向域Ｓ１を有する。排泄口対向域Ｓ１は、着用者の股下、すなわち着用者の両足の間に配置される領域であって、吸収体３０が存在する領域に相当する。なお、ウイング４０を有する吸収性物品１０では、排泄口対向域Ｓ１は、ウイング４０どうしの間であって、吸収体３０が存在する領域に相当する。
【００４４】
図２に示すように、吸収性物品１０は、裏面シート２２の非肌面側に設けられた粘着部４２，５２，７０を有する。粘着部４２，５２，７０は、吸収性物品１０を着用物品に止めるための粘着剤が設けられた領域である。粘着部は、本体粘着部７０と、ウイング粘着部４２と、フラップ粘着部５２と、を含む。これらの粘着部は、例えば下着のような着用物品に吸収性物品を止着させるズレ止め用の粘着部である。
【００４５】
本体粘着部７０は、吸収性物品の厚み方向において、吸収体３０と重なる領域に設けられている。本体粘着部７０は、少なくとも排泄口対向域Ｓ１から吸収性物品１０の後方へ連続的又は断続的に延びていることが好ましい。本体粘着部７０は、前後方向Ｌに延びており、幅方向Ｗに間隔をあけて複数設けられていてよい。
【００４６】
ウイング粘着部４２はウイング４０に設けられている。ウイング４０は、使用中に着用者の着用物品に折り返され、ウイング粘着部４２によって着用物品の非肌面側に取り付けられる。フラップ粘着部５２はヒップフラップ５０に設けられている。
【００４７】
吸収性物品１０は、少なくとも吸収体３０を厚み方向に圧縮した不図示の一対の圧搾部を有していてもよい。圧搾部は、肌面側から非肌面側に凹んでいてよい。一対の圧搾部は、幅方向Ｗにおける吸収性物品１０の中央を挟んで両側に設けられていてよい。各々の圧搾部は、前後方向Ｌに延びていてよい。
【００４８】
吸収性物品１０は、裏面シート２２の非肌面側に設けられた後処理用粘着部（第２粘着部）８０を有する。さらに、吸収性物品１０は、後処理用粘着部８０を覆う後処理用のテープ部材６０を有する。テープ部材６０は、後述する離型シート１０４とは別体である。後処理用のテープ部材６０は、吸収性物品１０の使用中にも後処理用粘着部８０を覆った状態にされる。
【００４９】
本実施形態では、テープ部材６０及び後処理用粘着部８０は、本体粘着部７０の後側に位置する。この代わりに、テープ部材６０及び後処理用粘着部８０は、本体粘着部７０の前側に位置していてもよい。
【００５０】
本実施の形態の吸収性物品の具体的な構成の一例を示す。表面シートは、目付３０ｇ／ｍ２のエアースルー不織布（PE/PET）によって構成されてよい。表面シートと吸収コアの間にセカンドシートが設けられてよい。セカンドシートしては、表面シートと同様の材料によって構成されてよい。本体部の幅方向の外側には、表面シートが配置されず、サイドシートが配置されてもよい。サイドシートとしては、目付１３ｇ／ｍ２のＳＭＳ不織布（PP）によって構成されてよい。吸収コアの吸収材料は、針葉樹クラフトパルプと高吸収ポリマーによって構成されてよい。吸収材料全体の重量に対する高吸収ポリマーの重量の比率は、１０％であってよい。排泄口対向域Ｓ１を含む領域の吸収コアの目付は、周囲の吸収コアの目付よりも高く構成されてよい。排泄口対向域Ｓ１を含む領域の吸収コアの目付は、９５０ｇ／ｍ２であってよく、周囲の吸収コアの目付は、３００ｇ／ｍ２であってよい。裏面シートは、目付２３．５ｇ／ｍ２のポリエチレンフイルム（非通気タイプ）によって構成されてよい。吸収性物品は、表面シートと吸収コアが厚み方向に圧搾された圧搾部が形成されていてもよい。本体粘着部は、ゴム系のホットメルト型接着剤によって構成されてよい。本体粘着部の目付は、２７ｇ／ｍ２のであってよい。本体粘着部は、幅方向に空けて６本設けられてよい。各本体粘着部の幅方向の長さは、５ｍｍ、各本体粘着部の前後方向の長さは、３２０ｍｍであってよい。吸収性物品の前後方向の長さは、４２０ｍｍ、吸収性物品の幅方向の長さは、２００ｍｍであってよい。後処理用のテープ部材は、目付３５ｇ／ｍ２のポリエチレンフイルムによって構成されてよい。テープ部材の長手方向の長さは、４５ｍｍ、テープ部材の短手方向の長さは、２５ｍｍであってよい。テープ部材の裏面シート側の面には、印刷が施されてよい。印刷は、ピンク糸のウレタン系インクを用いてよい。
【００５１】
吸収性物品１０は、幅方向Ｗに沿って延びた少なくとも２つの折り線を有していてもよい。図１，２に示す例では、吸収性物品１０は、３つの折り線Ｆ１〜Ｆ３を有している。これらの折り線Ｆ１〜Ｆ３は、吸収性物品の包装時に、吸収性物品を折り畳むためのラインである。
【００５２】
図３に示すように、吸収性物品１０は、折り線Ｆ１〜Ｆ３で折り畳まれた状態で個包装シート１００によって包まれている。個包装シート１００は、止着テープ１０２によって自然に開かないよう止められていてよい。
【００５３】
図４は、止着テープ１０２を開封し、吸収性物品１０及び個包装シート１００を展開した状態を示している。個包装シート１００は、吸収性物品の非肌面側に設けられている。本実施形態では、吸収性物品１０の裏面シート２２と個包装シート１００との間に離型シート１０４が設けられている。
【００５４】
離型シート１０４は、吸収性物品が個包装された状態において少なくとも本体粘着部７０を覆う。離型シート１０４は、吸収性物品が個包装された状態において少なくとも本体粘着部７０を保護している。離型シート１０４は、ウイング粘着部４２とフラップ粘着部５２を覆っていてもよい。この代わりに、ウイング粘着部４２とフラップ粘着部５２を覆う別の離型シートが設けられていてもよい。
【００５５】
本実施形態では、離型シート１０４は、個包装シート１００と別体であり、包装時に個包装シート１００に接合されている。これにより、個包装シート１００から吸収性物品１０を取り出す作業とともに、離型シート１０４が吸収性物品１０から取り外される。そのため、吸収性物品１０を下着のような着用物品に取り付ける作業が簡易になる。
【００５６】
ここで、後処理用のテープ部材６０は、離型シート１０４とは別体であるため、個包装シート１００が取り外されたとしても、後処理用粘着部８０に止着された状態を維持する。すなわち、個包装シート１００を取り外すとともに離型シート１０４も一緒に取り外されるが、テープ部材６０は、吸収性物品１０に付着した状態を維持する。これにより、使用者が、吸収性物品１０の使用前に誤ってテープ部材６０を取り外してしまうことを抑制することができる。
【００５７】
後処理用のテープ部材６０は、離型シート１０４との違いを示す識別部６２を有することが好ましい。識別部６２は、テープ部材６０に施された色彩、文字、記号又は図形等であってよい。例えば、識別部６２は、離型シート１０４と異なる色彩であってもよい。この代わりに、識別部６２は、例えば、離型シート１０４と異なることを示す文字、記号又は図形等であってもよい。より具体的には、識別部６２は、テープ部材６０を吸収性物品１０の使用中に取り外さないよう注意喚起する文字、記号又は図形であってもよいし、テープ部材６０を吸収性物品１０の廃棄時に使用すべきであることを注意喚起する文字、記号又は図形であってもよい。
【００５８】
後処理用のテープ部材６０が離型シート１０４との違いを示す識別部６２を有する場合、使用者は、吸収性物品１０を下着のような着用物品に取り付ける際に、誤って後処理用のテープ部材６０を取り外してしまうことを防止することができる。
【００５９】
テープ部材６０は、吸収性物品の使用時に厚み方向から見て吸収性物品１０からはみ出さないように配置されていることが好ましい。これにより、吸収性物品１０の使用中に後処理用のテープ部材６０が着用者の肌に直接当たらないため、使用者に与える違和感を抑制することができる。
【００６０】
後処理用粘着部８０の少なくとも一部は、厚み方向において吸収体３０と重なる領域に設けられていることが好ましい。吸収体３０が存在しない領域は柔らかいため、吸収性物品１０の着用中の使用者の動作により捲れることがある。したがって、厚み方向において吸収体と重ならない領域に後処理用粘着部８０全体が設けられていると、後処理用のテープ部材６０の捲れにより、使用中に着用者の肌に後処理用粘着部８０が付着する虞がある。後処理用粘着部８０の少なくとも一部、好ましくは全部が、厚み方向において吸収体３０と重なる領域に設けられることにより、着用中に後処理用粘着部８０が着用者の肌に付着する虞を低減することができる。
【００６１】
前述したように、離型シート１０４は、吸収性物品１０の使用前に少なくとも本体粘着部７０を覆うことによって、本体粘着部７０の粘着力の低下を防止する。離型シート１０４は、吸収性物品１０を下着のような着用物品に取り付ける際に、本体粘着部７０から取り外され、それから吸収性物品１０は本体粘着部７０によって下着のような着用物品に止着される。ここで、後処理用のテープ部材６０が離型シート１０４とは別体であるため、吸収性物品１０の使用中において、後処理用のテープ部材６０は、後処理用粘着部８０を覆った状態を維持することができる。これにより、後処理用のテープ部材６０は、吸収性物品１０の使用中に、後処理用粘着部８０の粘着力の低下を防止することができる。
【００６２】
使用者は、吸収性物品１０の使用後に、下着のような着用物品から吸収性物品１０を取り外す。それから、使用者は、後処理用のテープ部材６０を剥がし、後処理用粘着部８０を露出させる。次に、使用者は、吸収性物品１０の肌面側が内側に隠れるように、吸収性物品１０を丸める（図５も参照）。これにより、後処理用粘着部８０は、丸められた吸収性物品１０の表面に露出する。
【００６３】
丸められた吸収性物品１０の表面に露出した後処理用粘着部８０に後処理用のテープ部材６０を止着させることによって、吸収性物品１０を丸めた状態で維持することができる。この場合、後処理用のテープ部材６０は、丸められた吸収性物品１０の表面に露出した後処理用粘着部８０とズレ止め用の粘着部４２，５２，７０とに跨って止着させることが好ましい。
【００６４】
以上のように、後処理用粘着部８０は、吸収性物品１０の使用中に後処理用のテープ部材６０で覆われているため、吸収性物品１０の廃棄時に、後処理用粘着部８０を利用して吸収性物品１０を丸めた状態でしっかりと維持することができる。
【００６５】
なお、本実施形態では、吸収性物品１０は、前側から後側に向かって丸められる。この代わりに、吸収性物品１０は、後側から前側に向かって丸められてもよい。このような場合には、テープ部材６０及び後処理用粘着部８０は、本体粘着部７０の前側に位置することが好ましい。
【００６６】
後処理用のテープ部材６０は、後処理用粘着部８０から完全に取り外し可能に構成されていることが好ましい。すなわち、後処理用のテープ部材６０は、裏面シート２２に恒久的に接合されておらず、後処理用粘着部８０から完全に取り外すことができるようになっている。したがって、使用者は、吸収性物品１０の廃棄時に後処理テープ６０を強く引っ張る必要がなく、丸められた吸収性物品１０の表面に露出した粘着部４２，５２，７０と後処理用粘着部８０とに跨って後処理テープ部材６０を止着させればよい。そのため、裏面シートに恒久的に接合された後処理テープを強く引っ張ることによる裏面シートの破断のような問題を解消することができる。
【００６７】
さらに、後処理用のテープ部材６０が後処理用粘着部８０から完全に取り外し可能に構成されていれば、裏面シート２２の任意の位置にテープ部材６０を配置させることができる。そのため、吸収性物品１０を着用物品に止着させる必要がある粘着部４２，５２，７０の位置を避けつつ、所望の形状又は長さの後処理用粘着部８０を提供することができる。
【００６８】
例えば、テープ部材６０が後処理用粘着部８０を覆う状態において、幅方向Ｗにおける後処理用のテープ部材６０の長さは、前後方向Ｌにおける後処理用のテープ部材６０の長さよりも長くてよい。このように、後処理用のテープ部材６０をより柔軟に設計することができる。例えば、本体粘着部７０よりも前側又は後側の領域では比較的横方向に長いスペースが存在するため、幅方向Ｗにおける後処理用のテープ部材６０の長さが長い方が、後処理用のテープ部材６０を配置し易い。この場合であっても、後処理用のテープ部材６０を後処理用粘着部８０から完全に取り外すことができれば、吸収性物品１０の廃棄時には、後処理用のテープ部材６０の長手方向を吸収性物品１０の前後方向Ｌに向けて、後処理用のテープ部材６０を使用することができる。これにより、丸めた吸収性物品１０を後処理用のテープ部材６０によって前後方向Ｌに止着させ易くすることができる。
【００６９】
後処理用粘着部８０は、前後方向Ｌから見て本体粘着部７０と重なる領域に設けられていることが好ましい。すなわち、後処理用粘着部８０と本体粘着部７０とは、前後方向Ｌに並んでいる。これにより、丸められた吸収性物品１０の表面に露出した本体粘着部７０と後処理用粘着部８０は、前後方向Ｌに沿って並ぶため、前後方向Ｌに跨って後処理テープ部材６０を容易に止着させることができる（図５参照）。
【００７０】
好ましくは、後処理用のテープ部材６０の最大長さは、後処理用粘着部８０から吸収性物品１０の縁までの最小長さＬ２よりも長い。図示した実施形態では、後処理用のテープ部材６０の最大長さは、長方形状のテープ部材６０の対角線の長さに相当する。これにより、後処理用のテープ部材６０を後処理用粘着部８０から取り外し、向きを変えて再び後処理用粘着部８０に取り付けた時に、後処理用粘着部８０の一部を吸収性物品の縁よりも外側へ達するようにすることができる。したがって、丸められた吸収性物品１０の表面に露出した後処理用粘着部８０と粘着部４２，５２，７０とに跨って後処理テープ部材６０を止着させ易くすることができる。
【００７１】
より好ましくは、後処理用粘着部８０は、本体粘着部７０よりも後側に設けられており、後処理用のテープ部材６０の最大長さは、前後方向Ｌにおける後処理用粘着部８０から吸収性物品１０の後側縁Ｅ２までの長さよりも長い。この代わりに、後処理用粘着部８０は、本体粘着部７０よりも前側に設けられており、後処理用のテープ部材６０の最大長さは前後方向Ｌにおける後処理用粘着部８０から吸収性物品１０の前側縁Ｅ１までの長さよりも長くてもよい。これにより、後処理用粘着部８０に止着させたテープ部材６０を前後方向Lに沿って吸収性物品１０の縁よりも外側へ延ばすことができるため、丸められた吸収性物品１０の表面に露出した後処理用粘着部８０と本体粘着部７０とに跨って後処理テープ部材６０を止着させ易くなる。
【００７２】
吸収性物品１０の使用前に後処理用粘着部８０とは反対側に向いた後処理用のテープ部材６０の一面は、後処理用のテープ部材６０の、後処理用粘着部８０側に向いた面よりも、後処理用粘着部８０に対する粘着力が高いことが好ましい。これにより、吸収性物品１０の廃棄時には後処理用粘着部８０とから後処理用のテープ部材６０を容易に剥離することができる。その一方で、吸収性物品１０の廃棄時には、後処理用のテープ部材６０のもう一方の一面を、丸められた吸収性物品１０の後処理用粘着部８０にしっかりと止着させることができる。
【００７３】
（３）第２実施形態
次に、第２実施形態に係る吸収性物品について説明する。図６は、第２実施形態に係る肌面側から見た吸収性物品の平面図である。図６において、第１実施形態と同様の部材については同じ符号が付されている。以下では、第１実施形態と同様の構成については、その説明を省略することがある。
【００７４】
第２実施形態において、後処理用粘着部８０は、前後方向Ｌにおける本体粘着部７０どうしの間の領域に設けられている。具体的には、本体粘着部７０は、幅方向Ｗに複数並んでおり、前後方向Ｌに延びている。ただし、本体粘着部７０は、排泄口対向域Ｓ１の吸収体３０と重なる領域と、ヒップフラップ５２どうしの間に挟まれた領域と、に分かれて設けられている。後処理用粘着部８０は、例えば、ウイング４０とヒップフラップ５０との間の吸収性物品の括れ領域に設けられていてよい。
【００７５】
使用者は、吸収性物品１０の使用後に、下着のような着用物品から吸収性物品１０を取り外す。それから、使用者は、後処理用のテープ部材６０を剥がし、後処理用粘着部８０を露出させる。次に、使用者は、吸収性物品１０の肌面側が内側に隠れるように、吸収性物品１０を丸めた状態にする。これにより、後処理用粘着部８０は、丸められた吸収性物品１０の表面に露出することなく、吸収性物品１０の表面シート２０に止着することになる。後処理用粘着部８０の止着力はテープ部材６０によって維持されていたため、吸収性物品１０は、粘着力を維持した後処理用粘着部８０によってしっかりと丸められた状態を維持することができる。
【００７６】
後処理用のテープ部材６０の最大長さは、前後方向Ｌにおける本体粘着部７０から吸収性物品１０の後端縁Ｅ２までの長さＬ１よりも長いことが好ましい。図示した実施形態では、後処理用のテープ部材６０の最大長さは、長方形状のテープ部材６０の対角線の長さに相当する。これにより、本体粘着部７０に止着させたテープ部材６０を前後方向Ｌに沿って吸収性物品１０の縁よりも外側へ延ばすことができるため、前側から後側に向けて丸めた吸収性物品の表面に露出した本体粘着部７０どうしに跨って後処理テープ部材６０を止着させ易くなる。
【００７７】
なお、後側から前側に向けて吸収性物品１０を丸める場合には、後処理用のテープ部材６０の最大長さは、前後方向Ｌにおける本体粘着部７０から吸収性物品１０の前端縁Ｅ１までの長さよりも長いことが好ましい。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７９】
例えば、上記実施形態では、実施形態では、離型シート１０４は、吸収性物品１０の裏面シート２２と個包装シート１００との間に設けられている。この代わりに、離型シート１０４は、個包装シート１００によって構成されていてもよい。言い換えると、ズレ止め用の粘着部を覆う離型シートは、吸収性物品を包む個包装シートであってもよい。この場合、吸収性物品１０の裏面シート２２と個包装シート１００との間に別の離型シートは不要である。ただし、後処理用のテープ部材６０は、裏面シート２２と個包装シート１００との間に配置されることに留意されたい。
【００８０】
また、上記実施形態で説明したように、後処理用のテープ部材６０は、裏面シート２２から完全に取り外し可能であることが好ましい。ただし、吸収性物品１０の使用中に後処理用粘着部８０の粘着力を維持するという観点のみを考慮すると、後処理用のテープ部材６０は、部分的に裏面シートに固定されており、完全には取り外し可能でなくてもよい。
【００８１】
また、後処理用のテープ部材６０は、伸長可能な部材によって構成されていてもよい。この場合、使用者は、テープ部材６０を伸長させつつ、丸めた吸収性物品１０を止着することができる。
【００８２】
さらに、上述した各実施形態に記載された構成及び特徴は、可能な限り組合せ及び／又は置き換え可能であることに留意されたい。
【産業上の利用可能性】
【００８３】
本態様によれば、吸収性物品を丸めた状態でよりしっかりと固定できる吸収性物品を提供することができる。
【符号の説明】
【００８４】
１０    吸収性物品
２０    表面シート
２２    裏面シート
３０    吸収体
４２    ウイング粘着部
５２    フラップ粘着部
６０    テープ部材
６２    識別部
７０    本体粘着部
８０    後処理用粘着部（第２粘着部）
１０４  離型シート
Ｌ      前後方向
Ｗ      幅方向
【図１】
2019115587.tif 000003
【図２】
2019115587.tif 000004
【図３】
2019115587.tif 000005
【図４】
2019115587.tif 000006
【図５】
2019115587.tif 000007
【図６】
2019115587.tif 000008